(57)【要約】【課題】汚泥含有液に含まれる懸濁物を生化学的発生ガスにより凝集かつ浮上させて固液分離を行う汚泥処理において、浮上した凝集物を下方の処理液に再び混じることなく、高い回収率で回収できるようにする。【解決手段】懸濁物浮上分離装置Ｆ２の処理槽１ａに汚泥含有液を入れ、亜硝酸塩と硝酸塩及び炭化物を適量添加し、曝気した後、静置する。汚泥含有液中の懸濁物は凝集し、生化学的発生ガスを含み浮上する。浮上した凝集物１４がある程度固まったら、凝集物１４と分離している清澄な処理液１６を処理槽１ａ底部の排液コック１９から排出し、凝集物１４を下降させて区画体６ａ上に載せ、区画体６ａごと回収する。【選択図】        図７
2004249278.tif 000002
【特許請求の範囲】
【請求項１】
汚泥含有液を曝気または／及び攪拌した後静置し、汚泥含有液中に分散している懸濁物を凝集させたものを生化学的発生ガスによって、または生化学的発生ガスを含ませることによって浮上させ、浮上した凝集物（１４）の下方側に、凝集物（１４）と処理液（１６）を区画する区画体（６，６ａ）を位置させて、凝集物が区画体（６，６ａ）下方側の処理液（１６）中へ移動することを防止して区画体（６，６ａ）の上部側の凝集物（１４）を回収するようにしたことを特徴とする、
汚泥処理方法。
【請求項２】
汚泥含有液を曝気または／及び攪拌した後静置し、汚泥含有液中に分散している懸濁物を生化学的発生ガスによって、または生化学的発生ガスを含ませることによって凝集かつ浮上させ、浮上した凝集物（１４）の下方側に、凝集物（１４）と処理液（１６）を区画する区画体（６，６ａ）を位置させて、凝集物が区画体（６，６ａ）下方側の処理液（１６）中へ移動することを防止して区画体（６，６ａ）の上部側の凝集物（１４）を回収するようにしたことを特徴とする、
汚泥処理方法。
【請求項３】
亜硝酸塩または／及び硝酸塩を添加した汚泥含有液を曝気または／及び攪拌した後静置し、汚泥含有液中に分散している懸濁物と亜硝酸塩または／及び硝酸塩の混合物を生化学的発生ガスによって、または生化学的発生ガスを含ませることによって凝集かつ浮上させ、浮上した凝集物（１４）の下方側に凝集物（１４）と処理液（１６）を区画する区画体（６，６ａ）を位置させて、凝集物（１４）が区画体（６，６ａ）下方側の処理液（１６）中へ移動することを防止して区画体（６，６ａ）の上部側の凝集物（１４）を回収するようにしたことを特徴とする、
汚泥処理方法。
【請求項４】
粉状または粒状の炭化物を汚泥含有液に添加することを特徴とする、
請求項１、２または３記載の汚泥処理方法。
【請求項５】
処理液（１６）が所定の透明度または清澄度となったときに、浮上した凝集物（１４）の下方側に凝集物（１４）と処理液（１６）を区画する区画体（６，６ａ）を位置させるようにしたことを特徴とする、
請求項１、２、３または４記載の汚泥処理方法。
【請求項６】
処理液（１６）の液位を下げることにより、区画体（６ａ）の上に凝集物（１４）を位置させて回収するようにしたことを特徴とする、
請求項１、２、３、４または５記載の汚泥処理方法。
【請求項７】
凝集物（１４）を区画体（６ａ）の上に位置させた状態で区画体（６ａ）と共に回収するようにしたことを特徴とする、
請求項１、２、３、４、５または６記載の汚泥処理方法。
【請求項８】
処理槽（１，１ａ）と、
汚泥含有液を処理槽（１，１ａ）内で曝気する曝気手段（９）と、
処理槽（１，１ａ）内に設けられ、凝集物（１４）を濾すことができ、浮上した、または浮上している凝集物（１４）と処理液（１６）とを区画する区画体（６，６ａ）と、
を含むことを特徴とする、
懸濁物浮上分離装置。
【請求項９】
区画体（６ａ）は、処理槽（１ａ）から取り外しまたは取り出し可能であることを特徴とする、
請求項８記載の懸濁物浮上分離装置。
【請求項１０】
処理槽（１ａ）の側壁部（１０４）に、少なくとも区画体（６ａ）を出し入れできる大きさの開口部（１０６）が形成できるよう構成されていることを特徴とする、
請求項８または９記載の懸濁物浮上分離装置。
【請求項１１】
処理槽（１ａ）の底部（１０１）に処理液（１６）を排出する手段（１９）を備えていることを特徴とする、
請求項８、９または１０記載の懸濁物浮上分離装置。
【請求項１２】
曝気手段（９）は、処理槽（１，１ａ）から取り外しまたは取り出し可能であることを特徴とする、
請求項８、９、１０または１１記載の懸濁物浮上分離装置。
【請求項１３】
請求項８、９、１０、１１または１２記載の懸濁物浮上分離装置（Ｆ１，Ｆ２）と、
回収された汚泥または凝集物（１４）を乾燥させるための乾燥装置（Ｄ）と、
を備えていることを特徴とする、
汚泥処理装置。
【発明の詳細な説明】
【０００１】
【発明の属する技術分野】
本発明は、汚泥処理方法、懸濁物浮上分離装置及び汚泥処理装置に関するものである。更に詳しくは、汚泥含有液を曝気または攪拌した後静置し、懸濁物を生化学的発生ガスによって、または生化学的発生ガスを含ませることによって凝集かつ浮上させて固液分離を行う汚泥処理において、上方に浮いた凝集物を下方の処理液に再び混じることなく、高い回収率で回収することができるようにしたものに関する。
【０００２】
【従来技術】
廃水処理において生じる汚泥の処理が問題になっている。汚泥を沈降させて固液分離を行う方法では、発生する汚泥中の水分含有率は通常９８％以上であり、最終的な処理をするにあたっては、脱水する必要がある。
【０００３】
脱水を行う前の処理としては、汚泥含有液中に凝集剤を添加して沈降濃縮する方法が知られている。しかしながら、この方法で使用する凝集剤は、アルミニウム塩類や鉄塩類等を含むものであって、分離した凝集物（汚泥）には植物に有害な過剰の塩類を含んでいる。
【０００４】
このため、汚泥は堆肥や土壌として使用することができず、そのほとんどは焼却されたり、埋め立てに使用されており、海洋投棄されることもあった。しかし、これらの処理を行っても、残留塩類等によって二次公害を引き起こすおそれがある等、環境保全上、理想的といえる汚泥処理にはほど遠い状況であった。
【０００５】
本発明者は、このような有害な凝集剤を使用する方法ではなく、分離した汚泥を堆肥としても使用できるようにするために鋭意研究を重ね、かつて新規な汚泥処理方法を提案した（特許文献１参照）。
【０００６】
【特許文献１】
特願平１０−１５１９４９号（特許第２９８３０１４号）
【０００７】
この方法は、従来、汚泥含有液を固液分離する際に沈降性を悪化させる元凶とされてきたＮ２ガス発生を主因とするバルキング（膨化）現象を逆に利用し、活性炭等の炭化物に汚泥を吸着させて凝集するとともに、汚泥中の微生物の作用により生じたガスすなわち生化学的発生ガスを含ませて凝集物を浮上させて処理水と凝集物との分離を図る方法である。この凝集物を回収して得られたものは植物にも無害であり、堆肥や土壌として有効利用できる。上記方法で凝集かつ浮上した凝集物は、網やこし器により掬い取ることによって回収されていた。
【０００８】
【発明が解決しようとする課題】
しかしながら、上記した従来の凝集かつ浮上した凝集物の回収方法には、次のような課題があった。
まず、上層に浮いた凝集物を上記網やこし器により掬い取って回収しようとすると、処理液中のごくわずかな対流の発生によっても、凝集物が下層に降りて処理液と混じってしまうので、従来方法による凝集物の回収率は、結局５０％程度に止まり、実用的とはいえなかった。
【０００９】
そこで、本発明者は、上記方法で凝集かつ浮上した凝集物の回収を高効率で行うための方法について研究開発に努め、その研究の中で、従来凝集物を掬い取る際にも使用され、様々な分野で濾過材としても利用されている網体が持つ特性に着目した。
そして、この網を使用して様々な実験を行い、その結果、凝集かつ浮上した凝集物の下側で、適度な大きさの網目を有する網を昇降させる等して処理液に多少の対流を起こしても、網体の上側に汚泥を止めておくことができることがわかった。
これにより、本発明者は、網体のような区画体を、浮上した凝集物と処理液の間に配することが、それらを分離するための極めて有効な手段であることを知見し、本発明を完成するに至った。
【００１０】
また、従来方法のように浮上した凝集物をポンプ等の回収装置で回収する方法では、特に処理量が多い場合、一回の廃水処理に時間がかかりすぎていた。このため、同一の処理層で繰り返し汚泥処理を行う場合等、長期的にみたときの処理効率が悪かった。
【００１１】
更には、回収された凝集物を堆肥や土壌として使用するために乾燥させる際、大抵は汚泥を容器等に入れて自然乾燥を行なっていたが、汚泥に対する空気の通りが悪いために、汚泥を使用可能な水分量まで乾燥させるには長時間を要し、乾燥効率が悪かった。
【００１２】
（本発明の目的）
本発明の目的は、汚泥含有液を曝気して静置し、懸濁物を生化学的発生ガスにより、または生化学的発生ガスを含ませることにより凝集かつ浮上させて固液分離を行う汚泥処理において、浮上した凝集物を下方の処理液に再び混じることなく、高い回収率で回収できるようにすることである。
【００１３】
本発明の他の目的は、上記と同様の汚泥処理において、回収された汚泥を効率よく短時間で乾燥させることができるようにし、例えば汚泥を堆肥や土壌として利用する際に、管理や取り扱いがしやすいようにすることである。
【００１４】
【課題を解決するための手段】
上記目的を達成するために講じた本発明の手段は次のとおりである。
第１の発明にあっては、
汚泥含有液を曝気または／及び攪拌した後静置し、汚泥含有液中に分散している懸濁物を凝集させたものを生化学的発生ガスによって、または生化学的発生ガスを含ませることによって浮上させ、浮上した凝集物（１４）の下方側に、凝集物（１４）と処理液（１６）を区画する区画体（６，６ａ）を位置させて、凝集物が区画体（６，６ａ）下方側の処理液（１６）中へ移動することを防止して区画体（６，６ａ）の上部側の凝集物（１４）を回収するようにしたことを特徴とする、
汚泥処理方法である。
【００１５】
第２の発明にあっては、
汚泥含有液を曝気または／及び攪拌した後静置し、汚泥含有液中に分散している懸濁物を生化学的発生ガスによって、または生化学的発生ガスを含ませることによって凝集かつ浮上させ、浮上した凝集物（１４）の下方側に、凝集物（１４）と処理液（１６）を区画する区画体（６，６ａ）を位置させて、凝集物が区画体（６，６ａ）下方側の処理液（１６）中へ移動することを防止して区画体（６，６ａ）の上部側の凝集物（１４）を回収するようにしたことを特徴とする、
汚泥処理方法である。
【００１６】
第３の発明にあっては、
亜硝酸塩または／及び硝酸塩を添加した汚泥含有液を曝気または／及び攪拌した後静置し、汚泥含有液中に分散している懸濁物と亜硝酸塩または／及び硝酸塩の混合物を生化学的発生ガスによって、または生化学的発生ガスを含ませることによって凝集かつ浮上させ、浮上した凝集物（１４）の下方側に凝集物（１４）と処理液（１６）を区画する区画体（６，６ａ）を位置させて、凝集物（１４）が区画体（６，６ａ）下方側の処理液（１６）中へ移動することを防止して区画体（６，６ａ）の上部側の凝集物（１４）を回収するようにしたことを特徴とする、
汚泥処理方法である。
【００１７】
第４の発明にあっては、
粉状または粒状の炭化物を汚泥含有液に添加することを特徴とする、
第１、第２または第３の発明に係る汚泥処理方法である。
【００１８】
第５の発明にあっては、
処理液（１６）が所定の透明度または清澄度となったときに、浮上した凝集物（１４）の下方側に凝集物（１４）と処理液（１６）を区画する区画体（６，６ａ）を位置させるようにしたことを特徴とする、
第１、第２、第３または第４の発明に係る汚泥処理方法である。
【００１９】
第６の発明にあっては、
処理液（１６）の液位を下げることにより、区画体（６ａ）の上に凝集物（１４）を位置させて回収するようにしたことを特徴とする、
第１、第２、第３、第４または第５の発明に係る汚泥処理方法である。
【００２０】
第７の発明にあっては、
凝集物（１４）を区画体（６ａ）の上に位置させた状態で区画体（６ａ）と共に回収するようにしたことを特徴とする、
第１、第２、第３、第４、第５または第６の発明に係る汚泥処理方法である。
【００２１】
第８の発明にあっては、
処理槽（１，１ａ）と、
汚泥含有液を処理槽（１，１ａ）内で曝気する曝気手段（９）と、
処理槽（１，１ａ）内に設けられ、凝集物（１４）を濾すことができ、浮上した、または浮上している凝集物（１４）と処理液（１６）とを区画する区画体（６，６ａ）と、
を含むことを特徴とする、
懸濁物浮上分離装置。
【００２２】
第９の発明にあっては、
区画体（６ａ）は、処理槽（１ａ）から取り外しまたは取り出し可能であることを特徴とする、
第８の発明に係る懸濁物浮上分離装置である。
【００２３】
第１０の発明にあっては、
処理槽（１ａ）の側壁部（１０４）に、少なくとも区画体（６ａ）を出し入れできる大きさの開口部（１０６）が形成できるよう構成されていることを特徴とする、
第８または第９の発明に係る懸濁物浮上分離装置である。
【００２４】
第１１の発明にあっては、
処理槽（１ａ）の底部（１０１）に処理液（１６）を排出する手段（１９）を備えていることを特徴とする、
第８、第９または第１０の発明に係る懸濁物浮上分離装置である。
【００２５】
第１２の発明にあっては、
曝気手段（９）は、処理槽（１，１ａ）から取り外しまたは取り出し可能であることを特徴とする、
第８、第９、第１０または第１１の発明に係る懸濁物浮上分離装置である。
【００２６】
第１３の発明にあっては、
請求項８、９、１０、１１または１２記載の懸濁物浮上分離装置（Ｆ１，Ｆ２）と、
回収された汚泥または凝集物（１４）を乾燥させるための乾燥装置（Ｄ）と、
を備えていることを特徴とする、
汚泥処理装置である。
【００２７】
本明細書にいう炭化物とは、有機物を炭化して得た炭素に富んだ物質すべてをいい、その種類は特に限定するものではない。例えば比重が小さく表面積が大きい活性炭の他、木材や骨を蒸し焼きして得た木炭や骨炭、新聞紙、古紙、雑誌、製紙工場の製紙残渣、古タイヤ、ゴム、合成樹脂類を蒸し焼きにして得た炭化物、あるいは竹炭、廃木炭、パルプ炭、ヤシ殻炭、カーボンブラック等である。
【００２８】
汚泥含有液に加えられる炭化物の量は、０．０１〜５．０％（ｗ／ｖ）「（重量／容量）パーセント」、好ましくは０．１〜０．５％（ｗ／ｖ）である。炭化物の量が、０．０１％（ｗ／ｖ）未満であれば、汚泥または凝集物が浮上する速度が遅くなりすぎる傾向があり、５．０％（ｗ／ｖ）を超えれば、経費負担が大きくなり、不経済となる傾向がある。
【００２９】
汚泥含有液に加えられる亜硝酸塩、硝酸塩は、それぞれを単独で加えてもよいし、双方を加えることもできる。
亜硝酸塩としては、例えば、ＮＨ４ＮＯ２  （亜硝酸アンモニウム），ＮａＮＯ２  （亜硝酸ナトリウム），Ｃａ（ＮＯ２）２  （亜硝酸カルシウム），ＫＮＯ２  （亜硝酸カリウム）等があげられるが、これらに限定はされない。また、硝酸塩としては、例えば、ＮＨ４ＮＯ３  （硝酸アンモニウム），ＮａＮＯ３  （硝酸ナトリウム），Ｃａ（ＮＯ２）３  （硝酸カルシウム），ＫＮＯ３  （硝酸カリウム）等があげられるが、これらに限定はされない。
また、亜硝酸塩または硝酸塩は、炭化物と混合して加えてもよい。なお、炭化物または亜硝酸塩、硝酸塩を加えた汚泥含有液には、凝集を更に効率よく行うために、糖質または光合成を行う微生物を加えることもできる。
【００３０】
区画体としては、通液が可能であり、かつ区画体の上部側の凝集物が区画体の下方側の処理液中へ移動することを防止できれば、その素材、構造は特に限定するものではない。
区画体の素材としては、例えば網体、パンチングボード、織布や織布等の布、不織布、和紙等の紙、スポンジ等の連続気泡を有する発泡プラスチック、あるいはそれらの複合体等があげられるが、それらに限定はされない。
区画体は、厚さが薄いシート状や板状であってもよいし、マットのようにやや厚いものであってもよい。
区画体は、平面視形状が処理槽内面の平面視形状とほぼ同じで、相互間に本質的に隙間を形成しない構造が好ましいが、これに限定はしない。
また、区画体が凝集物を濾すことができる部分は、区画体の全面（または全部）に設けてもよいし、一部に設けることもできる。なお、区画体の構造は、上記各素材単体で形成されていてもよいし、例えば上記各素材の形を所要形状や大きさに保つための枠体や台等と組み合わせることもできる。
【００３１】
処理槽の側壁部に、少なくとも区画体を出し入れできる大きさの開口部を形成できるようする構成としては、例えば側壁部の一部または全部を着脱可能として開閉できる構造、また、側壁部の一部または全部を回動可能として開閉できる構造等であるが、これらに限定するものではなく、他の各種公知手段を採用することもできる。
【００３２】
乾燥装置は、回収された凝集物を乾燥（または脱水）させることができるものであれば、公知各種手段が採用できる。例えば、濾材によって凝集物を濾し取り、自然風やファンによる風、加熱風、加熱装置等で水分を蒸発させて乾燥させるもの等であるが、この構造に限定されるものではない。
【００３３】
（作用）
本発明に係る懸濁物浮上分離装置は次のように作用する。なお、以下の作用の説明においては、説明を分かりやすくするために、実施の形態の説明で使用した符号を付しているが、これによって発明の内容が実施の形態に限定されるものではない。
汚泥含有液に、曝気（攪拌）中あるいは曝気（攪拌）の前後に粉状または粒状の炭化物を加える。なお、汚泥含有液に炭化物を加えなくても、あるいは炭化物の代わりに亜硝酸塩または硝酸塩を加えても、以下に説明する生化学的ガスの発生とそれによる懸濁物の凝集かつ浮上は、その速度に違いはあるが、ほぼ同様に起こる。ここでは、炭化物を加える場合で説明する。
曝気後、炭化物は汚泥含有液中の懸濁物を徐々に吸着し始め、所要時間静置すると、ほとんど全ての懸濁物を吸着する。
【００３４】
また、汚泥含有液中にはクロレラ属、ニトロバクター属、ニトロソモーナス属、シュードモーナス属、ロドシュードモーナス属、アンモニア酸化菌、脱窒菌、硝酸還元菌等が存在し、それらの作用によって、Ｎ２  、ＣＯ２  、Ｏ２  、ＣＨ４  （生化学的発生ガス）が発生する。これにより、それらのガスもまた炭化物に吸着または吸収され、あるいは懸濁物に含まれ、炭化物と懸濁物の混合物（以下、凝集物という）はガスの浮力により浮上してくる。
なお、凝集と浮上は、▲１▼まず凝集が起こり、その後浮上する場合、▲２▼凝集しながら浮上する場合、▲３▼上記▲１▼と▲２▼が同時に起こる場合がある。
【００３５】
このようにして、上層には凝集物（１４）が凝集して浮上し、下層には透明または清澄（以下、主に透明と表現する）な処理液（１６）部分が形成され、これらは上下に分離する。また、上記したように凝集物（１４）は発生したＮ２  、ＣＯ２  、Ｏ２  、ＣＨ４  ガスによって浮上し、またはガスを含むことにより浮上するので、浮上した凝集物（１４）は全体的に好気的環境下にあり、嫌気的環境によって生じる悪臭の発生を防止できる。
また、浮上した凝集物（１４）に含まれる生化学的発生ガスの気泡は、凝集物（１４）で囲われるようにして実質的に閉じ込められ、凝集物（１４）は全体的に多孔性構造となり、沈むことはない。凝集物（１４）中の水分含有率は徐々に低下し、更に一定期間（例えば数日間）が経過すると乾燥が進んで全体が固まってくる。
【００３６】
そして、凝集物（１４）を浮上させた状態で、区画体（６，６ａ）を凝集物（１４）より下側に位置させることにより、凝集物（１４）と処理液（１６）（または処理液の一部）とは区画体（６，６ａ）で区画される。しかも、区画体（６，６ａ）は凝集物（１４）を濾すことができるので、区画体（６，６ａ）の上部側に位置する凝集物（１４）は区画体（６，６ａ）を通り抜けることができず、区画体（６，６ａ）の上側に止まる。
これにより、区画体（６，６ａ）の上側に止まった凝集物（１４）を回収する際に、凝集物（１４）と分離している処理液（１６）に対流が生じても、凝集物（１４）が区画体（６，６ａ）下側の処理液（１６）側へ移動することを防止でき、高効率での回収ができるようになる。
【００３７】
処理槽（１，１ａ）の底部に処理液（１６）を排出する手段（１９）を設けたものは、処理液（１６）の排出が容易にできると共に、処理液（１６）の液位を下げることにより、区画体（６ａ）の上に凝集物（１４）を位置させて回収することができる。
すなわち、凝集物（１４）が浮上し、一定期間が経過して、例えば下層側の処理液（１６）が透明または本質的に透明になったところで、処理槽（１ａ）底部から処理液（１６）を排出することによって処理液（１６）の液位を下げる。これにより、浮上していた凝集物（１４）も液位とともに下降し、例えば初期状態において処理槽底部（１０１）にある区画体（６ａ）の上に位置する。なお、処理液（１６）が全部抜かれても、凝集物（１４）は区画体（６ａ）を通過できないので区画体（６ａ）の上にある。
そして、区画体（６ａ）の上にある凝集物（１４）をポンプ等の各種回収手段（１０，１００）によって回収する。なお、後述するように、区画体（６ａ）の取り外し、取り出しが可能なものは、凝集物（１４）を区画体（６ａ）と共に回収することもできる。
【００３８】
凝集物（１４）等を回収する作業によって、区画体（６）の上層側の凝集物（１４）等の内部では対流が起こるが、区画体（６）の作用により下層側の処理液（１６）にはほとんど影響を及ぼすことがない。
また、仮に下層側の処理液（１６）に対流が起こっても、区画体（６）を設けない場合と相違して、凝集物（１４）が下層側の処理液（１６）に混じってしまうことを防止できるので、凝集物（１４）のほとんどを回収することが可能になる。
処理槽（１，１ａ）から排出された透明な処理液（１６）は、ＢＯＤ（ｂｉｏｃｈｅｍｉｃａｌ  ｏｘｙｇｅｎ  ｄｅｍａｎｄ：生化学的酸素要求量）、ＳＳ（懸濁物質）、臭気等が改善されており、河川への放流等により処理することができる。
【００３９】
区画体（６ａ）が処理槽（１ａ）から取り外しまたは取り出し可能であるものは、必要に応じて凝集物（１４）を区画体（６ａ）に載せたまま区画体（６ａ）ごと回収することが可能になり、ポンプ（１０）等を使用して凝集物（１４）を回収する場合と比較して、効率的な処理ができるようになる。また、懸濁物浮上分離装置の清掃等のメンテナンス時に作業がしやすい利点がある。
【００４０】
処理槽（１ａ）の側壁部（１０４）に、少なくとも区画体（６ａ）を出し入れできる大きさの開口部（１０６）が形成できるよう構成されているものは、区画体（６ａ）を処理槽（１ａ）から取り外したり取り出す作業が処理槽（１ａ）の側面側からできるようになるので、例えば、その作業を上部側の開口部から行うより作業高さを低くできる分だけ作業が容易にできる。
【００４１】
処理槽（１ａ）の底部（１０１）に処理液（１６）を排出する手段（１９）を備えているものは、上記したように、処理液（１６）の液位を下げることにより、区画体（６ａ）の上に凝集物（１４）等を位置させて回収する場合に容易に作業ができる。これにより、処理液（１６）中に乱流等を発生させることなく凝集物（４）を区画体（６ａ）の上に載せることができ、凝集物（４）の回収も容易にできる。また、この場合に限らず、処理液（１６）の排出が容易にできる。
【００４２】
曝気手段（９）が、処理槽（１，１ａ）から取り外し、または取り出し可能であるものは、処理槽（１，１ａ）内において曝気作業を行った後、取り外すか取り出せば、浮上した凝集物（４）が下降するときの邪魔にならない。
また、処理槽として既存の処理槽を使用する場合に特に有用であり、新たにつくる場合も曝気手段（９）を区画体（６，６ａ）の下側に必ずしも作り付ける必要がなく、製造コストを安価にできる。
【００４３】
懸濁物浮上分離装置（Ｆ１，Ｆ２）と、回収された凝集物（１４）等を乾燥させるための乾燥装置（Ｄ）を備えている汚泥処理装置（Ａ）は、凝集物（１４）等をそのまま送って乾燥させることができる。また、乾燥したものは、そのまま堆肥や土壌として有効利用できるので、効率的な処理が可能である。
【００４４】
【発明の実施の形態】
本発明を図面に示した実施の形態に基づき更に詳細に説明する。
図１は本発明に係る汚泥処理装置の一実施の形態を示す斜視説明図、
図２は区画体の取付部の構造を示す要部平面視説明図である。
なお、上記図１及び後述の図３、図４、図５においては、便宜上、処理槽の側壁部を透明体として表している。
汚泥処理装置Ａは、懸濁物浮上分離装置Ｆ１と、回収された凝集物を乾燥させる乾燥装置Ｄにより構成されている。
懸濁物浮上分離装置Ｆ１は、単一の槽内で、汚泥含有液の曝気と、凝集物の浮上分離を行うことができる処理槽１を有している。
【００４５】
処理槽１（図１、図３、図４、図５では想像線で表している）は、上部が開口した平面視長方形状（または正方形状）の槽体である。処理槽１の正面側の下部には、処理液を排出するための排液コック１９が設けてある。
また、処理槽１の正面側には、底部から上部まで、上下方向にほぼ全高にわたり、縦に長い透視窓２が設けられている。透視窓２から槽内を見ることにより、凝集物の浮上の具合等、内部の状態がわかるようになっている。
【００４６】
透視窓２の下端部の外側には、処理槽１内の処理液の透明度を測るための光センサ３が、受光部を処理槽１内部へ向けて設けてある。
また、処理槽１の奥側のうち透視窓２と相対向する位置には、透視窓２と同様に縦長の光源３ａが設けてある。光源３ａの長さは、処理槽１の底部から、浮上する凝集物の下端部に相当する位置までの長さに設定されているが、多少の長短があってもよい。
【００４７】
光センサ３は、後述する昇降装置８にモータ８０を作動させるための信号を送る検知送信器４につながれている。検知送信器４は、光源３ａの光を受光する光センサ３の測定値が所定の透明度を表す値になったときに、モータ８０に段階的または断続的に信号を送るようになっている。なお、信号は無段階に連続的に送るようにしてもよい。
【００４８】
処理槽１の内面側の四隅部には、それぞれ上下方向の全高さにわたりガイド体５が設けてある。各ガイド体５は角パイプ状であり、内方の一側面板の中央には、全高にわたりガイド溝５０が設けてある。
各ガイド溝５０には、平面視ほぼ長方形状の区画体６の四隅部に設けてある取付片６２が挿し入れてあり、区画体６はガイド体５に沿って昇降可能である。
符号１８は気体供給管であり、後述するように、区画体６の下側に空気等の気体を供給して区画体６の下側に空間部１５を形成し、凝集物１４と処理液１６との間に空間部１５を形成するものである。なお、気体供給管１８によって供給される気体は空気に限定されるものではなく、例えば窒素等のように安全な気体であれば他の気体を使用することもできる。
【００４９】
区画体６は、合成樹脂製で格子状に形成された網支持体６０を有している。網支持体６０の上面側には、網支持体６０の全面を覆うようにステンレススチール製の網体６１が張設されている。網体６１の目の粗さは、５０メッシュ程度であり、凝集物を濾し取ることができるものである。なお、網体６１の目の粗さは上記に限定するものではなく、状況に合わせて適宜調整可能である。
【００５０】
各ガイド溝５０を貫通した区画体６の各取付片６２には、合成樹脂製の引上ロープ７の一端部がそれぞれ繋がれている。引上ロープ７は、各ガイド体５を通り、ガイド体５の上部開口部から導出されて、上方の他端部は昇降装置８を構成する巻取軸８１に繋がれている。
この構造によれば、区画体６を上昇させる際に各引上ロープ７が凝集物１４内で移動しても、各引上ロープ７がガイド体５でほぼ囲まれていることによって凝集物１４に流れや乱れを起こす等の影響を及ぼしにくい。
【００５１】
区画体６を昇降させる昇降装置８は、上記したように光センサ３と連動するモータ８０と、モータ８０により駆動される巻取軸８１を有している。巻取軸８１には、上記したように四本の引上ロープ７が繋がれており、巻取軸８１を正逆方向に回転させることにより、各引上ロープ７を同じ速度で巻き上げまたは巻き下げて、区画体６を平行な状態で昇降させることができる。
【００５２】
昇降装置としては、公知の各種構造のものが採用でき、特に限定するものではない。例えば、ウインチやチェーンブロック、ラック・ピニオン等のギヤ装置を使用した手動タイプのもの、更にそれを電動モータ等の各種駆動手段と組み合わせた自動タイプのもの等である。
なお、区画体を上昇させる速度は、汚泥や凝集物を含む処理液に対流が生じることがないように、ごく遅くなるよう設定するのが好ましい（例えば、１００ｍｍ／ｈ）。この上昇速度は、上記速度に限定はされず、適宜調整が可能である。
【００５３】
曝気装置９は、初期状態においては、処理槽１底部にある区画体６の上方に位置しており、曝気終了後には処理槽１から取り外すことができる構造となっている。なお、曝気装置９を処理槽１に作り付けにした構造とすることもできるが、その場合は区画体６の昇降に支障を来さないように設ける必要がある。
【００５４】
曝気装置９は、多数の散気孔９３を有する散気管９０を有している。散気管９０は、処理槽１の槽底の幅とほぼ同じ長さに設定されており、その両側には通気管９１が直角に、かつ互いに平行になるよう接続されている。また、各通気管９１には支持部材９２を添設して補強している。
処理槽１の上部側には、凝集物の回収手段であるポンプ１０が設けてある。ポンプ１０から導出されている排出管１００は、乾燥装置Ｄの内部に導入されている。
【００５５】
乾燥装置Ｄは、乾燥室１１を有している。乾燥室１１は、室枠体１１０に合成樹脂シートでつくられた被覆体１１１を張設した構造である。被覆体１１１は換気用開閉装置１１２によって一部が開閉できるようになっている。換気用開閉装置１１２は、被覆体１１１を巻き上げる方式で、公知のものであるので、図１では詳細な構造について図示していない。また、乾燥室１１の側部には、ファン１１３が複数設けてある。
【００５６】
乾燥室１１内には、上部が開口した箱状の貯液体１２が設置されている。貯液体１２は、内部に溜まった処理液を排出するための排液手段（図示省略）を有している。
貯液体１２には、濾過体１３が収容されている。濾過体１３は、図に示すように上記区画体６の網体６１と同じ網体を幅方向に山形に連ねた構造であり、濾面を広くして、凝集物を効率的に濾過できるようにしている。
【００５７】
（作  用）
図３は懸濁物浮上分離装置で汚泥含有液の処理を開始した状態を示す斜視説明図、
図４は凝集物が浮上し、区画体を凝集物下側まで上昇させた状態を示す斜視説明図、
図５は区画体の下方側に空気を供給して凝集物と処理液との間に空間部を作った状態を示す斜視説明図である。
図１ないし図５を参照して、本実施の形態に係る汚泥処理装置Ａの作用を説明する。
【００５８】
懸濁物浮上分離装置Ｆ１を用いて凝集物を浮上分離させる方法を説明する。
まず、処理槽１に屎尿処理場の返送汚泥含有液を適量入れる。
曝気装置９により空気を外部から取り入れて散気し、これにより曝気しながら粉状または粒状の炭化物（例えば活性炭）を加える。なお、汚泥含有液に炭化物を加えなくても、以下に説明する生化学的ガスの発生とそれによる汚泥の分離上昇はほぼ同様に起こる。
曝気は、所要時間行なう。曝気終了後は、凝集物１４の浮上が始まる前に区画体６の上昇の邪魔にならないように曝気装置９を処理槽１から取り外しておく。
【００５９】
この後、汚泥含有液中の亜硝酸、硝酸還元菌の活性を測定する。一方、処理液中の硝酸態窒素量が例えば５ｐｐｍ以上になっていることを確認する。もし不足の場合は、硝酸、亜硝酸及びその塩類を添加して、硝酸態窒素量が５ｐｐｍ以上になるようにする。
【００６０】
炭化物は、汚泥含有液中の汚泥を徐々に吸着し始め、所要時間静置すると、ほとんど全ての汚泥を吸着する。また、汚泥含有液中にはクロレラ属、ニトロバクター属、ニトロソモーナス属、シュードモーナス属、ロドシュードモーナス属、アンモニア酸化菌、脱窒菌、硝酸還元菌等が存在し、それらの作用によって、Ｎ２  、ＣＯ２  、Ｏ２  、ＣＨ４  ガスが発生する。そして、これらのガスも炭化物に吸着または吸収されて凝集物に含まれる。これにより、汚泥を吸着または吸収した炭化物と汚泥の混合物はガスの浮力により浮上してくる。
【００６１】
このようにして、上層には凝集物（凝集物）１４が浮上し、これによって下層には透明な処理液１６の部分が形成され、これらは上下に分離する。また、浮上した凝集物１４に含まれる生化学的発生ガスの気泡は、凝集物１４で囲われるようにして実質的に閉じ込められ、凝集物１４は全体的に多孔性構造となり、沈むことはない。更に、凝集物１４中の水分含有率は低下する。また、上記したように凝集物１４は発生したＮ２  、ＣＯ２  、Ｏ２  、ＣＨ４  ガスにより浮上するので、浮上した凝集物１４は全体的に好気的環境下にあり、嫌気的環境によって生じる悪臭の発生を防止できる。
【００６２】
凝集物１４が徐々に浮上し、下層側の処理液１６が次第に透明になり、光源３ａの光を受光する光センサ３が予め設定された透明度を表す数値を検出したら、検知送信器４から段階的または断続的に信号が送られてモータ８０が作動し、各引上ロープ７が巻き上げられて、初期状態で処理槽１の底部にある区画体６が液中に対流が生じないようにごく遅い速度で上昇する。そして、区画体６は凝集物１４と透明な処理液１６の境界部に位置し、凝集物１４下端部の上昇に伴って上昇する。
この状態では、区画体６の上方にある凝集物１４は、凝集物１４を濾し取る目の粗さを有する区画体６の網体６１を実質的に通り抜けることができない。
【００６３】
そして、気体供給管１８の下端部の供給口１８０を区画体６のすぐ下側に位置させ、排液コック１９から処理液１６を抜くと、処理液１６の液位が下がり、同時に区画体の下側に気体供給管１８を通って空気が供給され、凝集物１４と処理液１６との間に空間部１５（空気の層）が形成される。これにより、空間部１５によって凝集物１４と処理液１６を十分に隔離することができる。
【００６４】
このように、上層側の凝集物１４と下層側の透明な処理液１６を区画体６と空間部１５で区画した状態で、ポンプ１０によって凝集物１４を回収する。この作業によって、区画体６の上層側の凝集物１４内では対流が起こるが、区画体６及び空間部１５の作用により下層側の処理液１６にはほとんど影響を及ぼすことがない。
すなわち、区画体６を設けない場合のように、凝集物１４が下層側の処理液１６に混じってしまうことがないので、凝集物１４のほとんどを高効率で回収することができる。
また、処理槽１に残った透明な処理液１６は、ＢＯＤ、ＳＳ、臭気等が河川への放流を行っても環境保全上問題のない数値まで改善されているので、放流により処理することができる。処理液１６は、排液コック１９を開けて槽外に排出され、河川への放流等により処理される。
【００６５】
また、ポンプ１０で回収された凝集物は、排出管１００を通って乾燥装置Ｄへ送られて、濾過体１３の上に平均的に撒かれる。凝集物に含まれる処理水は濾過体１３を通って貯液体１２に溜まり、適宜外部へ排出されて処理される。汚泥は、濾過体１３の上面で一定期間乾燥され、堆肥または土壌として使用可能な処理物とすることができる。
【００６６】
図６は本発明に係る懸濁物浮上分離装置の他の実施の形態を示し、懸濁物浮上分離装置で汚泥含有液の処理を開始した状態を示す斜視説明図、
図７は凝集物が浮上した状態を示す斜視説明図、
図８は処理液を排出して液位を下げて、凝集物を区画体の上に位置させた状態を示す斜視説明図、
図９は処理槽の側壁を回動させて開いた状態を示す斜視説明図、
図１０は処理槽から凝集物を区画体ごと取り出し、区画体を入れ替えている状態を示す斜視説明図である。
なお、図６乃至図１０では、便宜上、各側壁（正面部１０２、背面部１０３、両側面部１０４、１０５）を透明体として表している。また、本実施の形態では、図面において上記懸濁物浮上分離装置Ｆ１と同等箇所には同一符号を付して示し、構造について重複する説明は基本的に省略する。
【００６７】
本実施の形態に係る懸濁物浮上分離装置Ｆ２は、単一の槽内で、曝気装置９による汚泥含有液の曝気と、凝集物の浮上分離を行うことができる処理槽１ａを有している。
なお、懸濁物浮上分離装置Ｆ２は、上記懸濁物浮上分離装置Ｆ１と同様に乾燥装置Ｄまたは他の乾燥装置や乾燥施設と組み合わせて汚泥処理装置を構成するようにしてもよい。
【００６８】
処理槽１ａは、上部が開口した平面視長方形状（または正方形状）の槽体であり、各々方形状の底面部１０１、正面部１０２、背面部１０３、両側面部１０４、１０５で構成されている。処理槽１ａにおいては、処理液を排出するための排液コック１９が底面部１０１の正面側寄りに設けてある。
【００６９】
処理槽１ａのうち、透視窓２が設けられている正面部１０２と隣り合う一方の側面部１０４は、底部側を底面部１０１の縁部に回動可能かつ液密に軸支した構造である。側面部１０４は、その縁部を正面部１０２及び背面部１０３の縁部に対し、液密に固定して閉じることができるようにしてある。
【００７０】
なお、側面部１０４は、処理槽１ａの側部を開口するときには水平となる角度まで倒すことができるようにしてある。これにより形成される開口部１０６の大きさは、次に説明する区画体６ａが水平な状態で取り出すことができる大きさに設定されている。
【００７１】
区画体６ａは、合成樹脂製で格子状に形成された網支持体６０ａと網体６１ａを有している。網支持体６０ａは、区画体６ａを地面や床等、所要箇所に載置したときに載置面と網体６１ａの間に通気可能な空間部を設けることができるよう構成してある。具体的には、同じ長さの複数の直棒体６３を等間隔で平行に配し、その下側に同じ長さの複数の直棒体６４を直棒体６３と直交させ、等間隔で平行に固着して格子状とした構造である（図１０、右上の分解図参照）。この構成は限定されるものでなく、公知の各種構造が採用できる。
【００７２】
これにより、区画体６ａを上記のように置いたとき、網支持体６０ａを構成する下側の直棒体６４が載置面に接触し、上側の直棒体６３は載置面とは離れるので、各直棒体６３の上面側に固定される網体６１ａの下方には各直棒体６４間に通気可能な空間部（符号省略）が形成される。
【００７３】
網支持体６０ａの上面側には、全面を覆うようにステンレススチール製の網体６１ａが張設されている。網体６１ａの目の粗さは、５０メッシュ程度であり、凝集物を濾し取ることができるものである。なお、網体６１ａの目の粗さは上記に限定するものではなく、状況に合わせて適宜調整可能である。
区画体６ａの外周部形状は、処理槽１ａの内底部の平面視形状とほぼ同じであり、内壁との間に本質的に隙間を形成しないようにしてある。そして、区画体６ａは処理槽１ａの平坦な内底部（底面部１０１上）に載置されており、処理槽１ａから取り出しが可能である。なお、区画体６ａの位置は、上記のように底面部１０１上に限定するものではなく、例えば支持手段や吊り手段を使用して適宜高さに設定できる。
【００７４】
（作  用）
懸濁物浮上分離装置Ｆ２を用いて懸濁物を凝集かつ浮上させ、凝集物を回収する方法を説明する。
まず、処理槽１に屎尿処理場の返送汚泥含有液を適量入れる。
曝気装置９により空気を外部から取り入れて散気し、これにより曝気しながら亜硝酸塩と硝酸塩及び粉状または粒状の炭化物を加える（図６参照）。
曝気は、所要時間行なう。曝気終了後は、凝集物１４の浮上が始まる前に曝気装置９を処理槽１から取り外しておく。
【００７５】
この後、上記懸濁物浮上分離装置Ｆ１の場合と同様に、処理槽１ａ内では、上層に凝集物１４が浮上し、これによって下層には透明な処理液１６の部分が形成され、これらは上下に分離する（図７参照）。なお、分離の速さは単に炭化物を添加しただけの場合と比較して速い。
また、浮上した凝集物１４の特性は、上記懸濁物浮上分離装置Ｆ１の作用で説明したものとほぼ同様であるので説明は省略する。
【００７６】
更に、所要の期間（通常は４日程度）が経過すると処理液１６の透明度は上がり、凝集物１４は固まって、いわばスポンジのような発泡体様のものになる。凝集物１４がこのように固まったら、排液コック１９を開けて処理液１６を排出する。
なお、上記処理液１６の透明度の感知（検出）は、作業者の目視によってもよいし、光センサ等の各種センサを利用して行ってもよい。また、排出された処理液１６は、ＢＯＤ、ＳＳ、臭気等が河川への放流を行っても環境保全上問題のない数値まで改善されているので、放流により処理することができる。
【００７７】
処理液１６の液位が下がるのに伴い、浮上していた凝集物１４も下降する。凝集物１４は区画体６ａの網体６１ａを通過できず、更に、区画体６ａの外周部と処理槽１ａの内周面との間にも隙間が殆どないので、処理液１６が全部排出されると、凝集物１４は、ほぼ全体が処理槽１ａの底部にある区画体６ａの上に残る（図８参照）。
【００７８】
そして、区画体６ａの上に残った凝集物１４を回収する作業にすぐに移行してもよい。しかし、凝集物１４は区画体６ａの広さや凝集物１４の厚さによっては重さが数百ｋｇになる場合もあり、一旦処理槽１ａ内で乾燥させて重量を軽くした後に上記作業に移行するのが、作業が容易になるのでより好ましい。
すなわち、処理槽１ａ内に上方から凝集物１４へファンなどで風を送り、凝集物１４の表面にひびが入る程度まで乾燥させて軽量化する。このとき、開栓した状態の排液コック１９に外側から送気管をつなぐ等して、区画体６ａの上に残った凝集物１４の下面側に空気（風）を送るようにすると、乾燥が効果的に行われ、より短時間で所定の含水率まで乾燥させることができる。このように、排液手段を凝集物乾燥用の空気（風）導入手段として利用することが可能である。
【００７９】
凝集物１４が所定の含水率まで乾燥したら、処理槽１ａの側面部１０４を回動させて外側に倒し、水平にする（図９参照）。
上部に凝集物１４が載った区画体６ａを、処理槽１ａの開口部１０６から側面部１０４の上に引き出し、別に用意した区画体６ａを底面部１０１上面に載せて入れ替える（図１０参照）。
区画体６ａを処理槽１ａから取り出す作業をこのように処理槽１ａの側面側からできるので、上方へ吊り上げたりするより作業高さを低くできる分だけ作業が容易にできる。また、区画体６ａを入れ替えることによって、側面部１０４上にある凝集物１４が載った区画体６ａを回収した後、側面部１０４を閉じて、すぐに次の廃液処理を開始することができ、作業に無駄がない。
【００８０】
更には、区画体６ａは処理槽１ａから取り出し可能であり、凝集物１４を区画体６ａに載せたまま区画体６ａごと回収することができるので、ポンプ等を使用して凝集物１４を回収する場合と比較して、効率的な処理ができるようになる。更に、区画体６ａを取り外せば、懸濁物浮上分離装置Ｆ２の清掃等のメンテナンス時に作業がしやすい利点がある。
【００８１】
回収した凝集物１４の乾燥は、例えば上記乾燥装置Ｄのような、雨を防ぐことができるビニルハウス等の施設で行われる。この施設は、内部に空気を強制的に流通させるためのファンを備え、また、一部を開口することにより自然風を流通させることができるようにするのが好ましい。
【００８２】
凝集物１４を乾燥させるには、凝集物１４を載せた区画体６ａを施設内の床に載置して並べる。区画体６ａは網支持体６０ａによって網体６１ａと床面との間に通気可能な空間部が設けられるので、床面に載置した状態で凝集物１４の上面側や側面側ばかりでなく下面側にも空気を通すことができ、凝集物１４を短時間で乾燥させることが可能になる。これにより凝集物１４は、堆肥または土壌として使用可能な処理物とすることができる。
【００８３】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【００８４】
【発明の効果】
本発明は上記構成を備え、次の効果を有する。
（ａ）本発明に係る汚泥処理方法、懸濁物浮上分離装置及び汚泥処理装置によれば、凝集物を浮上させた状態で、区画体を凝集物より下側に位置させることにより凝集物と処理液とを凝集物を濾すことができる区画体で区画し、区画体上部側に位置する凝集物を区画体の上側に止めることができるようにする。
これにより、区画体の上側に止まった凝集物を回収する際に、凝集物と分離している処理液に対流が生じても、凝集物が区画体下側の処理液側へ移動することが防止でき、凝集物を高効率で回収できるようになる。
【００８５】
（ｂ）粉状または粒状の炭化物を汚泥含有液に添加する汚泥処理方法によれば、炭化物が懸濁物の吸着を効率よく行うので、懸濁物の凝集浮上が速やかに行われ、効率的な処理が可能になる。
【００８６】
（ｃ）亜硝酸塩または硝酸塩を汚泥含有液に添加する汚泥処理方法によれば、Ｎ２  、ＣＯ２  、Ｏ２  、ＣＨ４  ガス  等の発生源が、汚泥含有液中の亜硝酸及び硝酸の他に、外部からも亜硝酸、硝酸、これらの塩類または糖質を単独でまたは組合わせたものが加えられるので、Ｎ２  、ＣＯ２  、Ｏ２  、ＣＨ４  ガス等が多く発生し、浮上する凝集物を速やかに押し上げることができるので、効率的な処理が可能になる。
【００８７】
（ｄ）処理液が所定の透明度または清澄度となったときに、浮上した凝集物の下方側に凝集物と処理液を区画する区画体を位置させるようにした汚泥処理方法によれば、透明度または清澄度を光センサ等の測定器で測るようにすれば、例えば処理液を排水して液位を下げるタイミングを自動で検知できるので、作業が確実に行われ、省力化を図ることができる。
【００８８】
（ｅ）区画体が処理槽から取り外しまたは取り出し可能であるものは、必要に応じて凝集物を区画体に載せたまま区画体ごと回収することが可能になる。この装置及び処理方法によれば、ポンプ等を使用して凝集物を回収する場合と比較して、効率的な処理ができるようになる。また、懸濁物浮上分離装置の清掃等のメンテナンス時に作業がしやすい利点がある。
更に、新しい区画体を入れ替えるようにすれば、すぐに次の廃液処理を開始することができ、無駄のない作業ができる。
【００８９】
（ｆ）処理槽の側壁部に、少なくとも区画体を出し入れできる大きさの開口部が形成できるよう構成されているものは、区画体を処理槽から取り外したり取り出す作業が処理槽の側面側からできるようになるので、例えば、その作業を上部側の開口部から行うより作業高さを低くできる分だけ作業が容易にできる。
【００９０】
（ｇ）処理槽の底部に処理液を排出する手段を設けたものは、処理液の排出が容易にできると共に、処理液の液位を下げることにより、区画体の上に凝集物を位置させて回収することができる。この装置及び処理方法によれば、処理液中に乱流等を発生させることなく凝集物を下降させて区画体の上に載せることができ、凝集物の回収も容易かつ高い回収率で行うことができる。
【００９１】
（ｈ）曝気手段が、処理槽から取り外し、または取り出し可能であるものは、処理槽内において曝気作業を行った後、取り外すか取り出せば、浮上した凝集物が下降するときの邪魔にならない。
また、処理槽として既存の処理槽を使用する場合に特に有用であり、新たにつくる場合も曝気手段を区画体の下側に必ずしも作り付ける必要がなく、製造コストを安価にできる。
【００９２】
（ｉ）懸濁物浮上分離装置と、回収された凝集物を乾燥させるための乾燥装置を備えている汚泥処理装置は、懸濁物浮上分離装置で分離した凝集物をそのまま乾燥装置に送って乾燥させることができ、乾燥したものは堆肥や土壌として有効利用できるので、効率的な処理が可能である。
【図面の簡単な説明】
【図１】本発明に係る汚泥処理装置の一実施の形態を示す斜視説明図。
【図２】区画体の取付部の構造を示す要部平面視説明図。
【図３】懸濁物浮上分離装置で汚泥含有液の処理を開始した状態を示す斜視説明図。
【図４】凝集物が浮上し、区画体を凝集物下側まで上昇させた状態を示す斜視説明図。
【図５】区画体の下方側に空気を供給して凝集物と処理液との間に空間部を作った状態を示す斜視説明図。
【図６】本発明に係る懸濁物浮上分離装置の他の実施の形態を示し、懸濁物浮上分離装置で汚泥含有液の処理を開始した状態を示す斜視説明図。
【図７】凝集物が浮上した状態を示す斜視説明図。
【図８】処理液を排出して液位を下げて、凝集物を区画体の上に位置させた状態を示す斜視説明図。
【図９】処理槽の側壁を回動させて開いた状態を示す斜視説明図。
【図１０】処理槽から凝集物を区画体ごと取り出し、区画体を入れ替えている状態を示す斜視説明図。
【符号の説明】
Ａ  汚泥処理装置
Ｆ１  懸濁物浮上分離装置
１  処理槽
１８  気体供給管
１８０  供給口
１９  排液コック
２  透視窓
３  光センサ
３ａ  光源
４  検知送信器
５  ガイド体
５０  ガイド溝
６  区画体
６０  網支持体
６１  網体
６２  取付片
７  引上ロープ
８  昇降装置
８０  モータ
８１  巻取軸
９  曝気装置
９０  散気管
９１  通気管
９２  支持部材
９３  散気孔
１０  ポンプ
１００  排出管
Ｄ  乾燥装置
１１  乾燥室
１１０  室枠体
１１１  被覆体
１１２  換気用開閉装置
１１３  ファン
１２  貯液体
１３  濾過体
１４  混合物
１５  空間部
１６  処理液
Ｆ２  懸濁物浮上分離装置
１ａ  処理槽
１０１  底面部
１０２  正面部
１０３  背面部
１０４、１０５  側面部
１０６  開口部
６ａ  区画体
６０ａ  網支持体
６１ａ  網体
６３、６４  直棒体
【図１】
2004249278.tif 000003
【図２】
2004249278.tif 000004
【図３】
2004249278.tif 000005
【図４】
2004249278.tif 000006
【図５】
2004249278.tif 000007
【図６】
2004249278.tif 000008
【図７】
2004249278.tif 000009
【図８】
2004249278.tif 000010
【図９】
2004249278.tif 000011
【図１０】
2004249278.tif 000012